(57)【要約】【課題】可視光や近赤外線等の光は、衣服を透過することが可能であるため、可視光や近赤外線等を照射する光線治療装置の場合、衣服越しに光を患部に照射させることが可能である。これに対し、遠赤外線は、衣服に照射されると殆ど透過しない。このため、遠赤外線治療装置の場合、着衣の有無によって、治療効果が異なるおそれがある。【解決手段】本開示に係る治療装置は、赤外線を照射するヒータと、前記ヒータを制御する制御部とを備える。前記制御部は、患部に前記赤外線を直接照射する直接モードと、衣服越しに前記赤外線を照射する間接モードとを含む照射モードに応じて、前記ヒータを制御する。【選択図】図８
2020174860.tif 000002
【特許請求の範囲】
【請求項１】
赤外線を照射するヒータと、
前記ヒータを制御する制御部と
を備えた治療装置であって、
前記制御部は、患部に前記赤外線を直接照射する直接モードと、衣服越しに前記赤外線を照射する間接モードとを含む照射モードに応じて、前記ヒータを制御する
ことを特徴とする治療装置。
【請求項２】
請求項１に記載の治療装置であって、
衣服の有無を検出可能なセンサを備え、
前記制御部は、前記センサの検出結果に基づいて、前記照射モードを決定することを特徴とする治療装置。
【請求項３】
請求項２に記載の治療装置であって、
前記制御部は、前記照射モードに応じて前記ヒータを制御している間、前記照射モードの切り替えを不可とすることを特徴とする治療装置。
【請求項４】
請求項２又は３に記載の治療装置であって、
前記制御部は、
前記センサを用いて、超音波の発信から受信までの時間Ｄ１と、反射波の強度Ｌとを検出し、
前記時間Ｄ１に基づいて閾値Ｌ０を決定し、前記強度Ｌと前記閾値Ｌ０とを比較して前記衣服の有無を検出することを特徴とする治療装置。
【請求項５】
請求項１〜４のいずれかに記載の治療装置であって、
前記ヒータには、ヒータ用温度センサが設けられており、
前記ヒータは、前記ヒータ用温度センサの検出温度に基づいて、前記照射モードに応じた温度に制御されることを特徴とする治療装置。
【請求項６】
請求項５に記載の治療装置であって、
照射ヘッドには、前記ヒータが複数設けられており、
複数の前記ヒータには、それぞれ前記ヒータ用温度センサが設けられており、
前記制御部は、動作させる前記ヒータの数を設定可能であり、
動作中の前記ヒータは、前記ヒータ用温度センサの検出温度に基づいてＯＮ／ＯＦＦ制御されることによって、前記照射モードに応じた温度に制御されることを特徴とする治療装置。
【請求項７】
請求項６に記載の治療装置であって、
前記赤外線を照射する対象物の温度を検出する対象物用温度センサを有し、
前記制御部は、前記対象物用温度センサの検出温度が所定の温度を超えたとき、動作させる前記ヒータを一括でＯＦＦにすることを特徴とする治療装置。
【請求項８】
請求項５〜７のいずれかに記載の治療装置であって、
表示部を備え、
前記制御部は、前記ヒータ用温度センサの検出温度に基づいて前記赤外線の波長を算出し、前記波長を前記表示部に表示することを特徴とする治療装置。
【発明の詳細な説明】
【技術分野】
【０００１】
本発明は、治療装置に関する。
【背景技術】
【０００２】
患部に向かって赤外線を照射する赤外線治療装置が知られている。特許文献１には、距離センサや温度センサを備えた赤外線治療装置が記載されている。
【先行技術文献】
【特許文献】
【０００３】
【特許文献１】特開平１０−２０１８６１号公報
【発明の概要】
【発明が解決しようとする課題】
【０００４】
可視光や近赤外線等の光は、衣服を透過することが可能であるため、可視光や近赤外線等を照射する光線治療装置の場合、衣服越しに光を患部に照射させることが可能である。これに対し、遠赤外線は、衣服に照射されると殆ど透過しない（なお、遠赤外線が物体内部（例えば人体や衣服）に深く浸透するというのは間違いであり、遠赤外線を人体に直接照射しても、遠赤外線は皮膚表面の０．１〜０．２ｍｍの深さまでしか到達しない）。このため、遠赤外線治療装置の場合、着衣の有無によって、治療効果が異なるおそれがある。
【０００５】
本発明は、着衣の有無によらずに適切な治療効果を得ることを目的とする。
【課題を解決するための手段】
【０００６】
上記目的を達成するための主たる発明は、赤外線を照射するヒータと、前記ヒータを制御する制御部とを備えた治療装置であって、前記制御部は、患部に前記赤外線を直接照射する直接モードと、衣服越しに前記赤外線を照射する間接モードとを含む照射モードに応じて、前記ヒータを制御することを特徴とする治療装置である。
【０００７】
本発明の他の特徴については、後述する明細書及び図面の記載により明らかにする。
【発明の効果】
【０００８】
本発明によれば、着衣の有無によらずに適切な治療効果を得ることができる。
【図面の簡単な説明】
【０００９】
【図１】図１は、治療装置１の全体斜視図である。
【図２】図２は、治療装置１の照射ヘッド１０の斜視図である。
【図３】図３は、治療装置１のブロック図である。
【図４】図４は、赤外線照射ユニット２０の構成図である。
【図５】図５は、超音波センサの送受信信号のタイミングチャートである。
【図６】図６は、超音波センサの送受信信号の説明図である。
【図７】図７は、衣服の有無の検出処理のフロー図である。
【図８】図８は、照射条件の設定処理のフロー図である。
【図９】図９Ａは、照射範囲及び照射モードの選択画面の説明図である。図９Ｂは、衣服情報入力画面の説明図である。
【図１０】図１０は、遠赤外線の照射制御処理のフロー図である。
【図１１】図１１は、施術波長の表示画面の説明図である。
【発明を実施するための形態】
【００１０】
後述する明細書及び図面の記載から、少なくとも以下の事項が明らかとなる。
【００１１】
赤外線を照射するヒータと、前記ヒータを制御する制御部とを備えた治療装置であって、前記制御部は、患部に前記赤外線を直接照射する直接モードと、衣服越しに前記赤外線を照射する間接モードとを含む照射モードに応じて、前記ヒータを制御することを特徴とする治療装置が明らかとなる。このような治療装置によれば、着衣の有無によらずに適切な治療効果を得ることができる。
【００１２】
衣服の有無を検出可能なセンサを備え、前記制御部は、前記センサの検出結果に基づいて、前記照射モードを決定することが望ましい。これにより、自動で直接モードと間接モードとを切り替えてヒータを制御できる。
【００１３】
前記制御部は、前記照射モードに応じて前記ヒータを制御している間、前記照射モードの切り替えを不可とすることが望ましい。これにより、患部への適切な赤外線照射を保持することができる。
【００１４】
前記制御部は、前記センサを用いて、超音波の発信から受信までの時間Ｄ１と、反射波の強度Ｌとを検出し、前記時間Ｄ１に基づいて閾値Ｌ０を決定し、前記強度Ｌと前記閾値Ｌ０とを比較して前記衣服の有無を検出することが望ましい。これにより、超音波センサを用いて衣服の有無を検出することができる。
【００１５】
前記ヒータには、ヒータ用温度センサが設けられており、前記ヒータは、前記ヒータ用温度センサの検出温度に基づいて、前記照射モードに応じた温度に制御されることが望ましい。これにより、ヒータから照射させる赤外線の波長を一定にできるため、所望の施術効果を得ることができる。
【００１６】
照射ヘッドには、前記ヒータが複数設けられており、複数の前記ヒータには、それぞれ前記ヒータ用温度センサが設けられており、前記制御部は、動作させる前記ヒータの数を設定可能であり、動作中の前記ヒータは、前記ヒータ用温度センサの検出温度に基づいてＯＮ／ＯＦＦ制御されることによって、前記照射モードに応じた温度に制御されることが望ましい。これにより、ヒータから照射させる赤外線の波長を一定にできるため、所望の施術効果を得ることができる。
【００１７】
前記赤外線を照射する対象物の温度を検出する対象物用温度センサを有し、前記制御部は、前記対象物用温度センサの検出温度が所定の温度を超えたとき、動作させる前記ヒータを一括でＯＦＦにすることが望ましい。これにより、ヒータから照射させる赤外線の波長を一定に保持しつつ、患部を所定の温度にさせることができる。
【００１８】
表示部を備え、前記制御部は、前記ヒータ用温度センサの検出温度に基づいて前記赤外線の波長を算出し、前記波長を前記表示部に表示することが望ましい。これにより、赤外線治療に有用な情報を提供することができる。
【００１９】
＝＝＝本実施形態＝＝＝
＜全体構成＞
図１は、治療装置１の全体斜視図である。図２は、治療装置１の照射ヘッド１０の斜視図である。
【００２０】
本実施形態の治療装置１は、患部に向かって赤外線を照射する赤外線治療装置である。特に、本実施形態の治療装置１は、遠赤外線を照射する遠赤外線治療装置である。本実施形態の治療装置１は、照射ヘッド１０と、本体部５０と、アーム部６０とを備える。
【００２１】
照射ヘッド１０は、赤外線（特に遠赤外線）を照射する装置である。照射ヘッド１０は、ケース１１と、ガードネット１３とを有する。ケース１１は、赤外線を照射する装置（赤外線照射ユニット２０：後述）を収容する収容部材である。ケース１１には、照射口１１Ａ、取っ手１１Ｂ及び通電ランプ１１Ｃが設けられている。照射口１１Ａは、赤外線が照射される開口部である。取っ手１１Ｂは、照射ヘッド１０の位置を操作するための部位（ハンドル、握り）である。通電ランプ１１Ｃは、照射ヘッド１０への通電を示すランプである。なお、ケース１１の背面はパンチングメタルで構成されており、パンチングメタルの穴（開口）は、ケース１１の内部に空気を取り入れる空気取入口として機能する。ガードネット１３は、照射口１１Ａを覆う網状の部材である。
【００２２】
本体部５０は、治療装置１の本体を構成する部位であり、操作パネル５１を有する。操作パネル５１は、作業者が治療装置１の設定操作を行う部位であり、表示部５１１と、入力部５１２とを有する。表示部５１１は、例えば液晶ディスプレイである。入力部５１２は、例えば入力ボタンである。操作パネル５１をタッチパネルで構成し、表示部５１１と入力部５１２とを一体的に構成しても良い。
【００２３】
アーム部６０は、照射ヘッド１０と本体部５０とを連結する部材である。アーム部６０は、本体部５０に対して照射ヘッド１０を移動可能に連結する。アーム部６０は関節部を有しており、関節部が可動に構成されていることによって、照射ヘッド１０の照射位置や照射角度を変更可能である。関節部にロック機構が設けられても良い。アーム部６０は、照射ヘッド１０と本体部５０との間の配線経路となっている。
【００２４】
図３は、治療装置１のブロック図である。
【００２５】
治療装置１は、制御部７０を有する。制御部７０は、治療装置１の制御を司るコントローラである。制御部７０は、本体側コントローラ７１と、ヘッド側コントローラ７２とを有する。
【００２６】
本体側コントローラ７１は、本体部５０に設けられたコントローラであり、不図示の演算処理装置（例えばＣＰＵ、ＭＰＵ等）と記憶装置（例えばＲＡＭ、ＲＯＭ等）により構成されている。記憶装置に記憶されたプログラムを演算処理装置が実行することにより、治療装置１の制御（後述）が行われることになる。本体側コントローラ７１は、ヘッド側コントローラ７２に設定信号（制御信号）を送信し、ヘッド側コントローラ７２を制御する。
【００２７】
ヘッド側コントローラ７２は、照射ヘッド１０に設けられたコントローラであり、照射ヘッド１０のケース１１に収容された制御基板２５（図４参照）により構成されている。
ヘッド側コントローラ７２は、ヒータ２１１の制御を行うヒータコントローラ７２１を有する。本実施形態のヒータコントローラ７２１は、ヒータ２１１のＯＮ／ＯＦＦを行う回路（ＯＮ／ＯＦＦ回路）を有している。ヘッド側コントローラ７２は、本体側コントローラ７１から受信した設定信号（制御信号）に基づいてヒータコントローラ７２１を設定し、ヒータコントローラ７２１は、その設定に従ってヒータ２１１のＯＮ／ＯＦＦを制御することになる。本実施形態では、ヘッド側コントローラ７２は、４つのヒータコントローラ７２１を有し、４枚のヒータ２１１（後述）に対してそれぞれヒータコントローラ７２１が設けられている。これにより、それぞれのヒータ２１１に対して個別にＯＮ／ＯＦＦ制御を行うことが可能である。
【００２８】
本実施形態では、制御部７０は、本体側コントローラ７１とヘッド側コントローラ７２とにより構成されているが、本体側コントローラ７１がヘッド側コントローラ７２の機能を備えていても良い。但し、本実施形態のように、制御部７０が本体側コントローラ７１とヘッド側コントローラ７２とによって構成すれば、本体側コントローラ７１がヒータ２１１のＯＮ／ＯＦＦを直接制御する場合と比べると、ヒータコントローラ７２１とヒータ２１１との配線を短くできるため、電磁波の漏洩を抑制することができる。
【００２９】
ヘッド側コントローラ７２は、照射ヘッド１０に設けられた各種センサの検出結果を受信する。また、ヘッド側コントローラ７２は、必要に応じて、各種センサの検出結果を本体側コントローラ７１に送信する。照射ヘッド１０の各種センサについては、後述する。
【００３０】
図３に示すように、照射ヘッド１０は、赤外線照射ユニット２０と、各種センサとを備えている。図４は、赤外線照射ユニット２０の構成図である。以下の説明では、ヒータ２１１の発熱面に垂直な方向を「前後方向」とし、ヒータ２１１から見て照射口１１Ａの側を「前」とし、逆側（背面側）を「後」とする。
【００３１】
赤外線照射ユニット２０は、赤外線を照射する装置である。赤外線照射ユニット２０は、照射ヘッド１０のケース１１に収容されている。赤外線照射ユニット２０は、ヒータ２１１と、反射板２２と、熱遮蔽板２３と、制御基板２５とを有する（図４参照）。
【００３２】
ヒータ２１１は、赤外線（特に遠赤外線）を照射する部材（発熱体）である。ヒータ２１１は、板状（シート状、面状）に構成されており、発熱面から赤外線を照射する。本実施形態では、ヒータ２１１は、金属製の照射板２１２及び押さえ板２１３の間に挟まれて固定されている。具体的には、照射板２１２と押さえ板２１３とがネジで固定されており、その間にヒータ２１１が挟まれて固定されている。このように、本実施形態では、ヒータ２１１を２枚の金属製の板部材（照射板２１２及び押さえ板２１３）の間に配置することによってヒータユニット２１が構成されている。このようなヒータユニット２１によれば、ヒータ２１１からの電磁波の漏洩を抑制できる。ヒータユニット２１は、反射板２２に連結部材（例えば円筒状のボス、雌型スタッド）を介して固定されている。
【００３３】
本実施形態では、赤外線照射ユニット２０は、複数（本実施形態では４枚）のヒータ２１１を有する。後述するように、本実施形態では、ＯＮにするヒータ２１１の数を制御することによって、赤外線（遠赤外線）の照射範囲（照射面積）を制御している。
【００３４】
反射板２２は、赤外線を反射する部材である。反射板２２は、ヒータ２１１（ヒータユニット２１）の後側に隙間をあけて配置されている。反射板２２は、金属製の板状の部材である。反射板２２は、ヒータ２１１（ヒータユニット２１）よりも大きい部材であり、ヒータ２１１の後側を覆うように配置されている。反射板２２の縁（ヒータ２１１よりも外側に突出した部位）は、照射口１１Ａに向かって赤外線が反射されるように、内側に向かって折り曲げられている。反射板２２の縁とケース１１の内壁面との間には隙間が形成されており、後側（ファン２４）から前側（照射口１１Ａ）に向かって空気が流れることができる。反射板２２は、連結部材を介してヒータユニット２１（具体的には照射板２１２）を固定している。反射板２２は、熱遮蔽板２３に連結部材を介して固定されている。
【００３５】
熱遮蔽板２３は、ヒータ２１１によって制御基板２５が加熱されることを抑制する部材である。熱遮蔽板２３は、ヒータ２１１と制御基板２５との間に配置された金属製の板状の部材である。本実施形態では、ヒータ２１１の後側に反射板２２が設けられているため、熱遮蔽板２３は、反射板２２の後側に配置されており、反射板２２と制御基板２５との間に配置されている。熱遮蔽板２３は、ケース１１と一体的に構成されている。但し、ネジ等によって熱遮蔽板２３がケース１１に固定されていても良い。なお、熱遮蔽板２３がケース１１と一体的に構成されることにより、熱遮蔽板２３の熱がケース１１を介して外部に放熱され易くなる。
【００３６】
熱遮蔽板２３には、ファン２４が設けられている。ファン２４は、照射ヘッド１０の内部を冷却する部材である。ファン２４が熱遮蔽板２３に設けられることによって、熱遮蔽板２３が冷却され、ヒータ２１１によって制御基板２５が加熱されることを抑制し易くなる。ファン２４は、熱遮蔽板２３の後側の面（制御基板２５の側の面）に配置されている。これにより、制御基板２５の加熱を抑制し易くなる。なお、熱遮蔽板２３には不図示の通気口が形成されており、ファン２４から照射口１１Ａに向かって空気が流れることができる。
【００３７】
制御基板２５は、ヒータ２１１を制御するための基板である。制御基板２５は、ヘッド側コントローラ７２を構成している。制御基板２５は、熱遮蔽板２３の後側（ヒータ２１１とは反対側）に設けられている。制御基板２５の実装面は、後側（ヒータ２１１とは反対側）に向いている。制御基板２５の後側には、ケース１１の背面が配置されている。ケース１１の背面はパンチングメタルで構成されており、ファン２４によってパンチングメタルの穴（空気取入口）から空気が取り入れられるため、制御基板２５の実装面を後側に向けることによって、制御基板２５を効率良く冷却できる。
【００３８】
照射ヘッド１０は、距離センサ３１と、ヒータ用温度センサ３２と、対象物用温度センサ３３とを備えている。距離センサ３１については、後述する。
【００３９】
ヒータ用温度センサ３２は、ヒータ２１１の温度を検出するセンサである。ヒータ用温度センサ３２は、ヒータ２１１毎に設けられている。本実施形態では、４枚のヒータ２１１のそれぞれにヒータ用温度センサ３２が設けられているため、照射ヘッド１０は、計４個のヒータ用温度センサ３２を有する。ヒータ用温度センサ３２は、検出結果をヒータコントローラ７２１（詳しくはＯＮ／ＯＦＦ回路）に出力する。ヒータコントローラ７２１（詳しくはＯＮ／ＯＦＦ回路）は、ヒータ設定温度とヒータ用温度センサ３２の検出温度とに基づいて、ヒータ２１１のＯＮ／ＯＦＦを制御することになる。具体的には、ヒータコントローラ７２１は、本体側コントローラ７１からの設定信号（制御信号）に基づいて所定のヒータ設定温度に設定された後、ヒータ用温度センサ３２の検出温度がヒータ設定温度よりも低ければヒータ２１１をＯＮにし、ヒータ用温度センサ３２の検出温度がヒータ設定温度よりも高ければヒータ２１１をＯＦＦにすることによって、ヒータ２１１がヒータ設定温度になるようにヒータ２１１のＯＮ／ＯＦＦを制御する。
【００４０】
ところで、ヒータ用温度センサ３２の検出温度に基づいてヒータ２１１をヒータ設定温度に制御（フィードバック制御）する際に、ヒータ２１１への電流や電圧をＯＮ／ＯＦＦさせる制御を行う代わりに、ヒータ２１１への電流や電圧を増減させる制御を行うことも可能である。但し、仮にヒータ２１１への電流や電圧を変化させると、ヒータ２１１から照射される赤外線（遠赤外線）の波長が変わってしまうため、この結果、所望の施術効果が得られなくなるおそれがある。このため、本実施形態では、ヒータコントローラ７２１は、ヒータ用温度センサ３２の検出温度に基づいて、ヒータ２１１のＯＮ／ＯＦＦを制御している。これにより、ヒータ２１１から照射させる赤外線（遠赤外線）の波長を一定にできるため、所望の施術効果が得られる利点がある。
【００４１】
対象物用温度センサ３３は、赤外線を照射する対象物（患部）の温度を検出するセンサである。例えば、対象物用温度センサ３３は、近赤外線を検出する赤外線センサで構成されている。なお、対象物用温度センサ３３は、図２に示す距離センサ３１と同様に、ケース１１の側面に設けることが可能である。
【００４２】
＜距離センサ３１（衣服検出センサ）＞
本実施形態の照射ヘッド１０は、距離センサ３１を有する。本実施形態では、図１及び図２に示すように、照射ヘッド１０のケース１１の側面に距離センサ３１（超音波センサ）が取り付けられており、赤外線を照射する患部（対象物）までの距離を測定することになる。本実施形態の距離センサ３１は、超音波センサにより構成されている。なお、照射される赤外線の強度は距離の２乗に反比例するため、距離センサ３１によって照射ヘッド１０から患部までの距離を検出している。
【００４３】
図５は、超音波センサの送受信信号のタイミングチャートである。横軸は時間を示しており、縦軸は電圧を示している。図６は、超音波センサの送受信信号の説明図である。
【００４４】
超音波センサは、対象物に超音波を発信し、反射波を受信することによって、対象物までの距離を検出するセンサである。送信パルスの発信開始から受信パルス（反射波）の受信開始までの時間Ｄ１は、超音波センサと患部（対象物）との間を超音波が往復する時間（Duration）である。この時間Ｄ１に基づいて患部（対象物）までの距離が検出できる。ヘッド側コントローラ７２は、超音波センサの超音波の送受信を制御し、送信パルスの発信開始から受信パルス（反射波）の受信開始までの時間Ｄ１を検出する。また、ヘッド側コントローラ７２は、時間Ｄ１に基づいて、超音波センサと患部との距離Ｄ２（Distance）を検出する。具体的には、ヘッド側コントローラ７２は、時間Ｄ１の半分の値に音速（３４０ｍ／ｓ）を掛けることによって、患部までの距離Ｄ２を算出する。ヘッド側コントローラ７２は、超音波センサの検出結果を本体側コントローラ７１に送信する。なお、ヘッド側コントローラ７２が送信する超音波センサの検出結果は、時間Ｄ１の情報でも良いし、時間Ｄ１に基づいて算出した距離Ｄ２（超音波センサと患部との距離）の情報でも良い。ヘッド側コントローラ７２が本体側コントローラ７１に時間Ｄ１の情報を送信する場合には、本体側コントローラ７１が時間Ｄ１に基づいて距離Ｄ２を算出することになる。（いずれの場合も、制御部７０が、時間Ｄ１に基づいて、距離Ｄ２を算出していることになる。）
【００４５】
本実施形態の距離センサ３１は、衣服の有無（着衣の有無）を検出するセンサとしても機能する。この点について説明する。
【００４６】
本実施形態では、ヘッド側コントローラ７２は、超音波センサの受信パルス（反射波）の強度Ｌを検出する。ここでは、ヘッド側コントローラ７２は、受信パルス（反射波）の強度Ｌとして、受信パルスの最大振幅を検出する。ヘッド側コントローラ７２は、超音波センサの検出結果として、強度Ｌの情報を本体側コントローラ７１に送信する。
【００４７】
ところで、受信パルスの強度Ｌは、対象物の反射率の影響を受けている。人体の皮膚表面での超音波の反射率は比較的高くなるが、衣服表面では超音波の反射率は比較的低くなる。言い換えると、衣服表面での超音波の反射率は、人体の皮膚表面での超音波反射率と比べて、低くなる。このため、図６に示すように、衣服が有る場合の受信パルスの強度Ｌ２は、衣服が無い場合の受信パルスの強度Ｌ１よりも小さくなる。本実施形態では、この点を利用して、衣服の有無（着衣の有無）を検出する。
【００４８】
図７は、衣服の有無の検出処理のフロー図である。制御部７０（ここでは本体側コントローラ７１）は、演算処理装置がプログラムを実行することにより、図中の検出処理を実行する。
【００４９】
まず、制御部７０は、距離センサ３１の検出結果である時間Ｄ１の情報と、距離センサ３１の検出結果である強度Ｌの情報を取得する（Ｓ１０１）。なお、制御部７０（ここでは本体側コントローラ７１）は、時間Ｄ１を取得する代わりに、時間Ｄ１に基づいて算出された距離Ｄ２を取得しても良い。
【００５０】
次に、制御部７０は、時間Ｄ１に基づいて、閾値Ｌ０を決定する（Ｓ１０２）。本実施形態では、制御部７０は、予め時間（又は距離）と閾値とを対応付けた閾値テーブルを有しており、閾値テーブルを参照することによって、時間Ｄ１に基づいて、閾値Ｌ０を決定する。なお、制御部７０が時間から閾値を算出する関数を有しており、この関数に基づいて時間Ｄ１から閾値Ｌ０を算出しても良い。なお、時間（又は距離）に基づいて閾値Ｌ０を決定する理由は、対象物までの距離が長くなるほど受信レベルが弱くなるためである。
【００５１】
次に、制御部７０は、距離センサ３１の検出結果である強度Ｌと、閾値Ｌ０とを対比する（Ｓ１０３）。強度Ｌが閾値Ｌ０よりも大きい場合（Ｓ１０３でＮＯ）、制御部７０は、対象物に衣服が無いと判定する（Ｓ１０４：すなわち、赤外線を照射する対象物が人体の皮膚であると判定する）。また、強度Ｌが閾値Ｌ０よりも小さい場合（Ｓ１０３でＹＥＳ）、制御部７０は、対象物に衣服が有ると判定する（Ｓ１０５）。例えば、図６に示すように、受信パルスの強度がＬ１の場合、制御部７０は、対象物に衣服が無いと判定することになる。また、図６に示すように、受信パルスの強度がＬ２の場合、制御部７０は、対象物に衣服が有ると判定することになる。
【００５２】
＜照射モードに応じた設定処理について＞
遠赤外線治療装置の場合、着衣の有無によって、治療効果が異なる。これは、遠赤外線は、衣服に照射されると殆ど透過しないためである（なお、遠赤外線が物体内部（例えば人体や衣服）に深く浸透するというのは間違いであり、遠赤外線を人体に直接照射しても、遠赤外線は皮膚表面の０．１〜０．２ｍｍの深さまでしか到達しない）。遠赤外線を衣服越しに患部に照射した場合、衣服が遠赤外線によって加熱され、その衣服で変換された波長の赤外線が人体皮膚表面に再放射（又は伝導）されることになる。このため、遠赤外線を衣服越しに患部に照射する場合には、衣服による損失分を加味した照射条件に設定することが望ましい。そこで、本実施形態では、制御部７０は、衣服の有無（着衣の有無）に応じて、適切な遠赤外線を照射ヘッド１０から照射させるように、ヒータ２１１を制御する。
【００５３】
図８は、照射条件の設定処理のフロー図である。制御部７０（ここでは本体側コントローラ７１）は、演算処理装置がプログラムを実行することにより、図中の処理を実行する。
【００５４】
まず、制御部７０は、照射範囲や照射モードを決定する（Ｓ２０１）。例えば、制御部７０は、図９Ａに示すような照射範囲／照射モードの選択画面を表示部５１１に表示させ、ユーザーに照射範囲や照射モードを選択させる。そして、制御部７０は、ユーザーが入力部５１２に入力した入力内容に基づいて、照射範囲や照射モードを決定する。
【００５５】
ここでは、選択可能な照射範囲として、「スポット」、「中範囲」及び「広範囲」がある。「スポット」は、狭い範囲の患部（例えば、膝、足首など）に遠赤外線を照射する場合に選択される。また、「中範囲」は、中程度の範囲の患部に遠赤外線を照射する場合に選択される。また、「広範囲」は、広い範囲の患部（例えば背中など）に遠赤外線を照射する場合に選択される。
【００５６】
また、ここでは選択可能な照射モードとして、「直接モード」、「間接モード」及び「自動モード」がある。「直接モード」は、人体の皮膚に直接的に遠赤外線を照射する場合に選択される照射モードである。「間接モード」は、衣服越しに遠赤外線を照射する場合に選択される照射モードである。「自動モード」は、直接モードと間接モードを治療装置１に自動的に選択させる照射モードである。
【００５７】
次に、照射モードが直接モードの場合、制御部７０は、人体の皮膚に直接的に遠赤外線を照射するのに適した所定の照射条件を決定する（Ｓ２０３）。ここでは、照射モードが直接モードの場合、制御部７０は、ヒータ設定温度を直接モード用の温度に決定する。一方、照射モードが間接モードの場合、制御部７０は、衣服情報を取得し（Ｓ２０４）、衣服情報に応じた照射条件を決定する（Ｓ２０５）。ここでは、照射モードが間接モードの場合、制御部７０は、ヒータ設定温度を間接モード用の温度に決定する。なお、Ｓ２０５では、直接モードよりもヒータ設定温度が高くなるように、照射条件が決定されることになる（Ｓ２０５）。これは、間接モードでは、衣服による損失分を加味する必要があるためである。
【００５８】
Ｓ２０４の処理では、例えば、制御部７０は、図９Ｂに示すような衣服情報入力画面を表示部５１１に表示させ、ユーザーに衣服情報を入力させる。ここでは、衣服の色や厚さの情報を入力させているが、他の情報を入力させても良い。なお、衣服の色が異なると、遠赤外線に照射されたときの衣服の加熱状況や、加熱された衣服から再放射される赤外線の波長が異なるため、衣服の色に関する情報を取得することが望ましい。また、衣服が厚くなるほど、患部に届く赤外線が弱まるため、衣服の厚さに関する情報を取得することが望ましい。例えば、衣服が厚い場合（例えばジーンズ越しに赤外線を照射する場合）、衣服が薄い場合（例えばストッキング越しに赤外線を照射する場合）と比べて、衣服による損失が大きくなるため、制御部７０は、この損失を加味したヒータ設定温度を決定することになる。このように、衣服情報に応じた照射条件を決定することによって、赤外線の照射条件をより適切に設定できる。但し、制御部７０は、照射モードが間接モードの場合に、Ｓ２０４の処理を行わずに（衣服情報を取得せずに）、直接モードよりもヒータ設定温度が高くなるように照射条件を決定しても良い（Ｓ２０５）。若しくは、制御部７０は、距離センサ３１の検出結果である強度Ｌに基づいて、衣服の厚さを判別しても良い。例えば、制御部７０は、強度Ｌが小さいほど、衣服が厚いと判別して、ヒータ設定温度が高くなるように照射条件を決定しても良い。
【００５９】
また、照射モードが自動モードの場合、制御部７０は、前述の衣服検出処理を行う（Ｓ２０６、図７のＳ１０１〜Ｓ１０５参照）。そして、制御部７０は、衣服が無いと判定した場合には、直接モードの場合と同様に、人体の皮膚に直接的に遠赤外線を照射するのに適した所定の照射条件を決定する（Ｓ２０３）。また、制御部７０は、衣服が有ると判定した場合には、間接モードの場合と同様に、直接モードよりも高いヒータ設定温度になるように照射条件を決定する（Ｓ２０５）。
【００６０】
制御部７０は、照射条件の設定を行う（Ｓ２０８）。ここでは、本体側コントローラ７１が、ヒータ設定温度や照射面積を設定する設定信号（制御情報）をヘッド側コントローラ７２に送信する。
【００６１】
なお、ヒータ設定温度（ヒータ２１１の設定温度）は、主に照射モード（直接モード／間接モード）に基づいて設定される。例えば、間接モードに従って照射条件が設定された場合（Ｓ２０５）には、直接モードに従って照射条件が設定された場合（Ｓ２０３）と比べて、ヒータ設定温度が高く設定されることになる。
また、照射面積は、Ｓ２０１で設定された照射範囲（スポット／中範囲／広範囲：図９Ａ参照）に基づいて設定される。例えば、照射範囲が広範囲の場合には、照射範囲がスポットや中範囲の場合と比べて、照射面積が広くなるように設定される。本実施形態では、４枚のヒータ２１１のうちの動作させるヒータ２１１の数を設定することによって、照射面積が設定されることになる。例えば、照射範囲が「スポット」の場合、１枚のヒータ２１１を動作（後述するＯＮ／ＯＦＦ制御）させるように設定され、残りの３枚のヒータ２１１がＯＦＦになるように設定されることになる。また、照射範囲が「中範囲」の場合、２枚のヒータ２１１を動作させるように設定され、残りの２枚のヒータ２１１はＯＦＦに設定されることになる。また、照射範囲が「広範囲」の場合、４枚のヒータ２１１を動作させるように設定されることになる。
【００６２】
Ｓ２０８で設定される照射条件は、ヒータ設定温度や照射面積に限られるものではない。例えば、本実施形態では、制御部７０は、照射条件として患部設定温度（患部の設定温度）や警告温度を設定する。後述するように、制御部７０は、患部設定温度になるようにヒータ２１１を制御したり、対象物用温度センサ３３の検出温度が警告温度に達したときに、警告を出力したりすることになる。また、本実施形態では、制御部７０は、照射モード（直接モード／間接モード）に応じて、患部設定温度や警告温度を設定する。例えば、制御部７０は、照射モードが間接モードの場合には、直接モードの場合よりも、患部設定温度や警告温度を高く設定する。なお、本実施形態では、制御部７０は、照射モード（直接モード／間接モード）に応じて、患部設定温度を設定するとともに、患部設定温度に所定の値を加算して警告温度を算出する。但し、制御部７０は、照射モードにかかわらず、患部設定温度や警告温度を一定の温度に設定してもよい。また、制御部７０は、患部設定温度や警告温度以外のものを照射条件として設定しても良い。若しくは、制御部７０は、患部設定温度や警告温度を設定しなくても良い。
【００６３】
＜照射モードに応じた照射制御処理について＞
図１０は、遠赤外線の照射制御処理のフロー図である。制御部７０は、演算処理装置がプログラムを実行することにより、図中の処理を実行する。
【００６４】
制御部７０は、前述の照射条件の設定後（図８参照）、図１０に示す照射制御処理を実行することになる。なお、本実施形態では、図１０に示す照射制御処理を実行している間（言い換えると、照射モードに応じてヒータ２１１を制御している間）、照射モードを切り替えて照射条件の設定を変更することを不可としている。これにより、患部への適切な赤外線照射を保持することができる。例えば、直接モードでの治療中に間接モードに切り替わることを防止できるため、患部に遠赤外線を直接照射しているときに遠赤外線の強度が過剰に設定されることを防止することができる。
【００６５】
まず、制御部７０は、距離センサ３１の検出結果に基づいて、照射ヘッド１０から患部までの距離を検出する（Ｓ３０１）。制御部７０は、患部までの距離が所定の設定距離よりも近づいていれば（Ｓ３０２でＹＥＳ）、表示部５１１に警告を表示して（Ｓ３１１）、全てのヒータ２１１をＯＦＦに制御する（Ｓ３１２）。なお、制御部７０は、所定の設定距離よりも１０％接近した状態（距離センサ３１の検出結果が設定距離の０．９倍になった状態）が５秒間続いたときに警告を行い、所定の設定距離よりも２０％接近した状態（距離センサ３１の検出結果が設定距離の０．８倍になった状態）が２秒間続いたときに警告を行うようにしても良い。
【００６６】
患部までの距離が正常であれば（Ｓ３０２でＮＯ）、制御部７０は、対象物用温度センサ３３の検出結果に基づいて、患部の温度を検出する（Ｓ３０３）。制御部７０は、対象物用温度センサ３３で検出した患部の温度と所定の患部設定温度とを比較し（Ｓ３０４）、患部の温度が所定の警告温度に達していれば（Ｓ３０４でＹＥＳ）、表示部５１１に警告を表示して（Ｓ３１１）、全てのヒータ２１１をＯＦＦに制御する（Ｓ３１２）。
【００６７】
患部までの距離が正常であり（Ｓ３０２でＮＯ）、患部の温度が正常であれば（Ｓ３０４でＮＯ）、制御部７０は、対象物用温度センサ３３で検出した患部の温度と患部設定温度とを比較し（Ｓ３０５）、患部の温度が所定の患部設定温度に達していれば（Ｓ３０５でＹＥＳ）、全てのヒータ２１１をＯＦＦに制御する（Ｓ３１２）。一方、制御部７０は、患部の温度が所定の患部設定温度に達していなければ、ヒータ２１１をＯＮにして患部に遠赤外線を照射する（Ｓ３０６）。
【００６８】
本実施形態では、照射条件として照射面積が設定されており（図８のＳ２０８参照）、動作させるヒータ２１１の数が設定されている。このため、Ｓ３０６の処理では、制御部７０は、設定された数のヒータ２１１を動作させる対象とし、動作させる対象のヒータ２１１を個別にＯＮ／ＯＦＦ制御する。例えば照射範囲が「中範囲」の場合、Ｓ２０８において２枚のヒータ２１１を動作させるように設定されるため、Ｓ３０６の処理では、制御部７０は、２枚のヒータ２１１に対して個別にＯＮ／ＯＦＦ制御を行い、残りの２枚のヒータ２１１はＯＦＦにする。これにより、動作させるヒータ２１１は、それぞれのヒータ用温度センサ３２の検出温度に基づいて、所定のヒータ設定温度になるようにＯＮ／ＯＦＦ制御されることになる。このため、本実施形態では、ヒータ２１１から照射させる赤外線（遠赤外線）の波長を一定にできるため、所定の施術効果を得ることができる。
【００６９】
次に、制御部７０は、ヒータ２１１の温度に基づいて、施術波長を算出する（Ｓ３０７）。ここでは、Ｓ３０６において、動作させるヒータ２１１のヒータ用温度センサ３２の検出温度をヘッド側コントローラ７２（ヒータコントローラ７２１）が取得しているため、制御部７０（ここでは本体側コントローラ７１）は、このヒータ用温度センサ３２の検出温度（ＯＮ／ＯＦＦ制御の対象となっているヒータ２１１の温度）に基づいて、施術波長を算出する。なお、本実施形態では、ウィーンの変位則に従って温度と波長との対応関係が予め設定されており、制御部７０は、ウィーンの変位則に従って、ヒータ用温度センサ３２の検出温度に基づいて、施術波長を算出する。ヒータ用温度センサ３２の検出温度が低い場合、施術波長は短くなる。一方、ヒータ用温度センサ３２の検出温度が高い場合、施術波長は長くなる。
【００７０】
そして、制御部７０は、算出した施術波長を表示部５１１に表示する（Ｓ３０８）。図１１は、施術中（赤外線照射中）の表示画面の説明図である。
【００７１】
制御部７０は、図１１に示すように、施術波長の表示画面を表示部５１１に表示させる。施術者は、表示画面を見て、施術波長を確認することができる。なお、遠赤外線照射治療の施術効果を検証するためには、施術者は、温度よりも施術波長の情報を把握することが重要となる。例えば、施術中の患部が所望の温度だとしても、患部の施術効果の検証には、その患部に照射された赤外線の波長が重要となる。このため、本実施形態では、ヒータ２１１の温度に基づいて算出された施術波長を表示部５１１に表示することにより、施術者に有益な情報を提供することができる。
【００７２】
また、本実施形態では、図１１に示すように、制御部７０は、対象物用温度センサ３３の検出結果に基づいて、患部の温度を表示部５１１に表示する。これにより、施術者が患部の温度を確認できるため、患部の温度変化や患者にかかる負荷を施術者が把握できる。なお、対象物用温度センサ３３の検出結果に基づく温度（患部の温度）を表示するのではなく、ヒータ用温度センサ３２の検出結果に基づく温度（ヒータ２１１の温度）を表示しても良い。
【００７３】
また、本実施形態では、図１１に示すように、制御部７０は、距離、照射面積、照射時間などの情報を表示部５１１に表示する。距離は、照射ヘッド１０から患部までの距離を示しており、制御部７０は、距離センサ３１の検出結果に基づいて距離を算出し、表示部５１１に表示する。なお、照射される赤外線の強度は距離の２乗に反比例するため、照射ヘッド１０から患部までの距離を施術者が把握することは重要となる。照射面積は、赤外線を照射しているヒータ２１１の面積を示しており、制御部７０は、ＯＮにしているヒータ２１１の数に基づいて照射面積を算出し、表示部５１１に表示する。照射時間は、赤外線の照射開始からの経過時間を示しており、制御部７０は、照射制御処理（図１０参照）の開始から計時した時間を表示部５１１に表示する。施術者は、照射面積、距離及び照射時間の情報を確認することによって、患部に照射されたエネルギーの大きさを把握することができる。なお、制御部７０は、照射面積、距離及び照射時間の情報に基づいて、患部に照射しているエネルギーや、患部に照射された総エネルギーなどの情報を表示部５１１に表示しても良い。また、制御部７０は、照射モードが間接モードの場合には、衣服による損失分を加味して、患部に照射されているエネルギー（又は総エネルギー）を表示部５１１に表示しても良い。
【００７４】
制御部７０は、上記の処理（Ｓ３０１〜Ｓ３０８、Ｓ３１１、Ｓ３１２）の処理を所定時間経過するまで繰り返し（Ｓ３０９）、所定時間経過したら、全てのヒータ２１１をＯＦＦに制御して、照射制御処理を終了する（Ｓ３１０）。上記の照射制御処理によれば、照射モードに応じて設定されたヒータ設定温度に従って、ヒータ２１１が制御されることになる。
【００７５】
＜小括＞
上記の治療装置１は、赤外線を照射するヒータ２１１と、ヒータ２１１を制御する制御部７０とを備えている。そして、本実施形態では、制御部７０は、患部に赤外線を直接照射する直接モードと、衣服越しに赤外線を照射する間接モードとを含む照射モードに応じて、ヒータ２１１を制御する。このように、本実施形態の制御部７０が直接モードと間接モードとを切り替えてヒータ２１１を制御できるため、適切な治療効果を得ることができる。なお、遠赤外線は、衣服に照射されると殆ど透過しない波長であるため、治療装置１が遠赤外線を照射する遠赤外線治療装置である場合に、直接モードと間接モードとを切り替えてヒータ２１１を制御することは、特に有効となる。
【００７６】
また、本実施形態では、治療装置１は、衣服の有無を検出可能なセンサ（超音波センサである距離センサ３１）を備えており、制御部７０は、センサの検出結果に基づいて、照射モードを決定している（図８のＳ２０６、Ｓ２０７参照）。これにより、治療装置１が、自動で直接モードと間接モードとを切り替えてヒータ２１１を制御することが可能である。
【００７７】
また、本実施形態では、照射モードに応じてヒータ２１１を制御している間、照射モードの切り替えを不可としている。これにより、患部への適切な赤外線照射を保持することができる。
【００７８】
また、本実施形態では、制御部７０は、図７に示すように、超音波の発信から受信までの時間Ｄ１と反射波の強度Ｌとを検出し、時間Ｄ１に基づいて閾値Ｌ０を決定し、強度Ｌと閾値Ｌ０とを比較して衣服の有無を検出する。これにより、超音波センサ（距離センサ３１）を用いて衣服の有無を検出することができる。なお、本実施形態では、距離センサ３１が、衣服の有無を検出するセンサと、赤外線を照射する対象物（患部）までの距離を検出するセンサとを兼ねているため、構成を簡素化できる。
【００７９】
また、本実施形態では、ヒータ２１１にはヒータ用温度センサ３２が設けられており、動作中のヒータ２１１は、ヒータ用温度センサ３２の検出温度に基づいて、照射モードに応じて設定されたヒータ設定温度に制御される。これにより、ヒータ２１１から照射させる赤外線（遠赤外線）の波長を一定にできるため、所望の施術効果を得ることができる。
【００８０】
また、本実施形態では、照射ヘッド１０が複数（ここでは４枚）のヒータ２１１を備えており、それぞれのヒータ２１１にヒータ用温度センサ３２が設けられている。そして、制御部７０は、動作させるヒータ２１１の数を設定し、動作中のヒータ２１１は、それぞれ、ヒータ用温度センサ３２の検出温度に基づいてＯＮ／ＯＦＦ制御されることによって、照射モードに応じて設定されたヒータ設定温度に制御される。これにより、動作させるヒータ２１１の数を変更することによって照射範囲を変更可能にしつつ、ヒータ２１１から照射させる赤外線（遠赤外線）の波長を一定にできるため、所望の施術効果を得ることができる。なお、ヒータ２１１への電流や電圧を増減させることによって赤外線の照射範囲や照射エネルギーを変更した場合には、ヒータ２１１から照射される赤外線（遠赤外線）の波長が変わってしまうため、所望の施術効果を得られなくなるおそれがある。
【００８１】
加えて、本実施形態では、治療装置１は、赤外線を照射する対象物（患部）の温度を検出する対象物用温度センサ３３を備えており、制御部７０は、対象物用温度センサ３３の検出温度が患部設定温度を超えたとき（図１０のＳ３０５でＹＥＳ）、動作させるヒータ２１１を一括でＯＦＦにする（Ｓ３１２）。これにより、ヒータ２１１から照射させる赤外線（遠赤外線）の波長を一定に保持しつつ、患部を所定の温度にさせることができる。
【００８２】
また、本実施形態では、制御部７０は、ヒータ用温度センサ３２の検出温度に基づいて、赤外線の波長を算出し（図１０のＳ３０７）、その波長を表示部５１１に表示する（Ｓ３０８）。これにより、施術者は、患部に照射された赤外線の波長を確認できるため、その情報を施術効果の検証に利用することが可能になる。
【００８３】
＝＝＝その他＝＝＝
上記の実施形態は、本発明の理解を容易にするためのものであり、本発明を限定して解釈するためのものではない。本発明は、その趣旨を逸脱することなく、変更、改良され得ると共に、本発明にはその等価物が含まれることは言うまでもない。
【００８４】
＜照射モードについて＞
前述の実施形態では、「直接モード」、「間接モード」及び「自動モード」の治療モードが選択可能であった。但し、治療モードを「自動モード」のみとし、治療装置１が自動で「直接モード」又は「間接モード」を切り替えても良い。また、治療モードを「直接モード」及び「間接モード」の２つとし、手動で「直接モード」又は「間接モード」を切り替えても良い。
【００８５】
＜各種センサについて＞
前述の実施形態では、治療装置１は、対象物用温度センサ３３を用いて、患部の温度を検出していた。但し、治療装置１が対象物用温度センサ３３を備えていなくても良い。  
また、前述の実施形態では、超音波センサである距離センサ３１が、患部までの距離の検出と、衣服の有無を検出とを行っていた。但し、患部までの距離を検出するセンサと、衣服の有無を検出するセンサとが別々に設けられても良い。この場合、患部までの距離を検出するセンサは、超音波センサに限られるものではなく、例えば、レーザーの発光及び受光を行うレーザー距離センサでも良い。
【００８６】
＜ヒータについて＞
前述の実施形態では、照射ヘッド１０が４枚のヒータ２１１を備えており、各ヒータ２１１は個別にＯＮ／ＯＦＦ制御されていた。但し、ヒータ２１１の数は、１枚でも良いし、４枚以外の数でも良い。また、複数枚のヒータ２１１が個別にＯＮ／ＯＦＦ制御されるのではなく、一括でＯＮ／ＯＦＦ制御されても良い。但し、複数枚のヒータを一括でＯＮ／ＯＦＦ制御した場合、内側に配置されたヒータは、外側に配置されたヒータと比べて、加熱されてしまい、この結果、照射される赤外線（遠赤外線）の波長が不均一になるおそれがある。このため、照射ヘッド１０が複数枚のヒータを備える場合には、それぞれのヒータを個別にＯＮ／ＯＦＦ制御することが望ましい。これにより、それぞれのヒータから所望の波長の赤外線を照射し易くなる。
【符号の説明】
【００８７】
１  治療装置、１０  照射ヘッド、１１  ケース、
１１Ａ  照射口、１１Ｂ  取っ手、１１Ｃ  通電ランプ、
１３  ガードネット、
２０  赤外線照射ユニット、２１  ヒータユニット、
２１１  ヒータ、２１２  照射板、２１３  押さえ板、
２２  反射板、２３  熱遮蔽板、２４  ファン、２５  制御基板、
３１  距離センサ（超音波センサ）、３２  ヒータ用温度センサ、
３３  対象物用温度センサ、
５０  本体部、５１  操作パネル、
５１１  表示部、５１２  入力部、
６０  アーム部、７０  制御部、
７１  本体側コントローラ、７２  ヘッド側コントローラ、
７２１  ヒータコントローラ
【図１】
2020174860.tif 000003
【図２】
2020174860.tif 000004
【図３】
2020174860.tif 000005
【図４】
2020174860.tif 000006
【図５】
2020174860.tif 000007
【図６】
2020174860.tif 000008
【図７】
2020174860.tif 000009
【図８】
2020174860.tif 000010
【図９】
2020174860.tif 000011
【図１０】
2020174860.tif 000012
【図１１】
2020174860.tif 000013
【手続補正書】
【提出日】令和1年8月22日(2019.8.22)
【手続補正１】
【補正対象書類名】特許請求の範囲
【補正対象項目名】全文
【補正方法】変更
【補正の内容】
【特許請求の範囲】
【請求項１】
赤外線を照射するヒータと、
前記ヒータを制御する制御部と、
を備えた治療装置であって、
衣服の有無を検出可能なセンサと
を備え、
前記制御部は、
患部に前記赤外線を直接照射する直接モードと、衣服越しに前記赤外線を照射する間接モードとを含む照射モードから、前記センサの検出結果に基づいて照射モードを決定し、
決定された前記照射モードに応じて、前記ヒータを制御する
ことを特徴とする治療装置。
【請求項２】
請求項１に記載の治療装置であって、
前記制御部は、前記照射モードに応じて前記ヒータを制御している間、前記照射モードの切り替えを不可とすることを特徴とする治療装置。
【請求項３】
請求項１又は２に記載の治療装置であって、
前記制御部は、
前記センサを用いて、超音波の発信から受信までの時間Ｄ１と、反射波の強度Ｌとを検出し、
前記時間Ｄ１に基づいて閾値Ｌ０を決定し、前記強度Ｌと前記閾値Ｌ０とを比較して前記衣服の有無を検出することを特徴とする治療装置。
【請求項４】
請求項１〜３のいずれかに記載の治療装置であって、
前記ヒータには、ヒータ用温度センサが設けられており、
前記ヒータは、前記ヒータ用温度センサの検出温度に基づいて、前記照射モードに応じた温度に制御されることを特徴とする治療装置。
【請求項５】
赤外線を照射するヒータと、
前記ヒータを制御する制御部と
を備え、
前記制御部は、患部に前記赤外線を直接照射する直接モードと、衣服越しに前記赤外線を照射する間接モードとを含む照射モードに応じて、前記ヒータを制御する
治療装置であって、
照射ヘッドには、前記ヒータが複数設けられており、
複数の前記ヒータには、それぞれヒータ用温度センサが設けられており、
前記制御部は、動作させる前記ヒータの数を設定可能であり、
動作中の前記ヒータは、前記ヒータ用温度センサの検出温度に基づいてＯＮ／ＯＦＦ制御されることによって、前記照射モードに応じた温度に制御される
ことを特徴とする治療装置。
【請求項６】
請求項５に記載の治療装置であって、
前記赤外線を照射する対象物の温度を検出する対象物用温度センサを有し、
前記制御部は、前記対象物用温度センサの検出温度が所定の温度を超えたとき、動作させる前記ヒータを一括でＯＦＦにすることを特徴とする治療装置。
【請求項７】
請求項４〜６のいずれかに記載の治療装置であって、
表示部を備え、
前記制御部は、前記ヒータ用温度センサの検出温度に基づいて前記赤外線の波長を算出し、前記波長を前記表示部に表示することを特徴とする治療装置。
【手続補正２】
【補正対象書類名】明細書
【補正対象項目名】０００６
【補正方法】変更
【補正の内容】
【０００６】
上記目的を達成するための主たる第１の発明は、赤外線を照射するヒータと、前記ヒータを制御する制御部と、を備えた治療装置であって、衣服の有無を検出可能なセンサとを備え、前記制御部は、患部に前記赤外線を直接照射する直接モードと、衣服越しに前記赤外線を照射する間接モードとを含む照射モードから、前記センサの検出結果に基づいて照射モードを決定し、決定された前記照射モードに応じて、前記ヒータを制御することを特徴とする治療装置である。
また、上記目的を達成するための主たる第２の発明は、赤外線を照射するヒータと、前記ヒータを制御する制御部とを備え、前記制御部は、患部に前記赤外線を直接照射する直接モードと、衣服越しに前記赤外線を照射する間接モードとを含む照射モードに応じて、前記ヒータを制御する治療装置であって、照射ヘッドには、前記ヒータが複数設けられており、複数の前記ヒータには、それぞれヒータ用温度センサが設けられており、前記制御部は、動作させる前記ヒータの数を設定可能であり、動作中の前記ヒータは、前記ヒータ用温度センサの検出温度に基づいてＯＮ／ＯＦＦ制御されることによって、前記照射モードに応じた温度に制御されることを特徴とする治療装置である。